(57)【特許請求の範囲】
【請求項１】
前後２体で１組のステージを、垂直方向へ迫り上げて二つ折り自在に連結すると共に、水平方向へ展開自在に構成してなり、この二つ折れステージ装置の複数組を前後方向に連結してなる多重折れステージ装置において、前部側のステージ装置における後ステージに設けた当該ステージ脚を連動させて折り畳む連結リンクの後端部にステーを立ち上げ形成し、当該ステーの先端部と後部側のステージ装置における前ステージに設けた最前列のステージ脚を左右幅方向に連結する連結軸とを、連結部材で前後に連結したことを特徴とする多重折れステージ装置。
【請求項２】
ステーの上端部を左右幅方向に連結する連結軸を差し渡し、当該連結軸と、後部側のステージ装置における前ステージの最前列のステージ脚の連結軸との間に、連結部材としてリンク、ロッド、或いは、ターンバックルを取り付けてなる請求項１に記載の多重折れステージ装置。
【請求項３】
前後２体で１組のステージを、垂直方向へ迫り上げて二つ折り自在に連結すると共に、水平方向へ展開自在に構成してなり、この二つ折れステージ装置の複数組を前後方向に連結してなる多重折れステージ装置において、前部側のステージ装置における後ステージの連結リンクの後端部に斜め後方へ張り出したステーを設け、後部側のステージ装置における前ステージの連結リンクの前端部に斜め前方へ張り出したステーを設け、両ステーの先端部を連結軸で連結したことを特徴とする多重折れステージ装置。
【請求項４】
前後２体で１組のステージを、垂直方向へ迫り上げて二つ折り自在に連結すると共に、水平方向へ展開自在に構成してなり、この二つ折れステージ装置の複数組を前後方向に連結してなる多重折れステージ装置において、前部側のステージ装置における後ステージの連結リンクの後端部にステーを立ち上げ形成し、後部側のステージ装置における前ステージの連結リンクの前端部にステーを立ち上げ形成し、両ステーの先端部を連結部材で前後に連結したことを特徴とする多重折れステージ装置。
【請求項５】
前部側のステージ装置における連結リンクのステーの上端部と、後部側のステージ装置における連結リンクのステーの上端部に、それぞれ連結軸を左右幅方向に差し渡し、当該前後の連結軸に、連結部材としてリンク、ロッド、或いは、ターンバックルを取り付けてなる請求項４に記載の多重折れステージ装置。
【請求項６】
前部側のステージ装置における後ステージの最後列のステージ脚の車輪ホルダと、後部側のステージ装置における前ステージの最前列のステージ脚の車輪ホルダとの間に、スライドガイドを前後に差し渡してなる請求項１、請求項３又は請求項４に記載の多重折れステージ装置。
【発明の詳細な説明】
【０００１】
【発明の属する技術分野】
本発明は、２体で１組の二つ折れステージ装置の複数組を連結した場合に、それをフロア上で円滑に展開させたり、或いは、それを二つ折れして多重に折り畳むことで、壁際部分等へのコンパクトな格納を可能とする、多重折れステージ装置に関する。
【０００２】
【従来の技術】
本発明者は、従前、特公平７−２１２５８号公報、特公平７−１１６８５５号公報、特許第２５２１５２８号公報、特許第２５４９５６１号公報、特許第２５４９５６２号公報等において、ステージ脚を折り畳み自在とする比較的脚の長い高床タイプと、ステージ脚の比較的短い低床タイプに属する「折り畳み式電動ステージ装置」を提案している。
これは前後２体で１組のステージを、垂直方向へ迫り上げて二つ折り自在に連結すると共に、水平方向へ展開自在に構成してなり、それを二つ折れ自在に連結した作動リンクと、当該作動リンクを駆動させる電動モータにより、二つ折れステージのフロア上での展開と壁面等への折り畳み格納に対処している。
【０００３】
そこで、前記二つ折れステージ装置において、前後ステージの表面に、予め柔道畳を敷き並べて取り付けたり、レスリング用マットや体操用マットを取り付けたり、或いは、ステージフロアを剣道用の緩衝構造としておけば、当該二つ折れステージ装置を柔道用、レスリング用、体操用、或いは、剣道用等の専用ステージとすることができ、柔道畳やマット類の敷設作業や撤去作業等を繰り返す必要性がなく、頗る利便である。
その為、体育館の壁際部分等に前記仕様の二つ折れステージ装置を構成しておけば、スペースに限りのある体育館等が前記のような各種スポーツに多目的に有効利用することができる。
【０００４】
ところが、前記仕様のステージ装置において、多人数によるスポーツ使用を可能とするには、当該二つ折れステージの複数組を構成する必要性が生ずる。
その為、前記の先行発明の内、特公平７−２１２５８号公報と特公平７−１１６８５５号公報に示す折り畳み電動ステージ装置においては、２体で１組の二つ折れステージの複数組を連結するに、隣り合う２組の二つ折れステージを折り畳む際には谷折れ部となり、また、フロア上で展開させる際には、隣り合う２組の二つ折れステージを突き合わせる端部を連結ヒンジで連設した構造の多重折れステージ装置を開示し、これにより複数組の二つ折れステージを多重に折り畳んで格納可能とすると共に、ステージフロアの倍増等に対処できるようにしている。
【０００５】
ところが、前記の多重折れステージ装置におけるステージフロアに、柔道畳やマット類を現実に敷設するに際して、当該ステージ本体のステージ厚みが数センチメートル〜１０センチメートルを越えるようなステージ厚を必要とする。
すると、ステージ厚のある二つ折れステージの複数組を、特公平７−２１２５８号公報と特公平７−１１６８５５号公報に示すように連結ヒンジで連結する構造では、その機能を発揮できないことが判明した。
その原因としては、比較的ステージ厚みのある二つ折れステージの複数組が、仮に突き合わせ状態で展開配置してある場合を想定した場合、当該二つ折れステージを迫り上げて二つ折れ状態に立ち上げようとするも、谷折れ部となる突き合わせ部分が持ち上げようとしたり、或いは、一方のステージ端部が他方のステージ端部に噛み込もうとする現象が起き、円滑に作動させることが困難となる。
それでは二つ折れステージを突き合わせ状態で展開配置することができず、その間に隙間がない限り、多重折れ作動させることができないことになる。
【０００６】
【課題を解決する為の手段】
そこで、本発明者は、前記の課題を解決する為に、前後２体で１組のステージを、垂直方向へ迫り上げて二つ折り自在に連結すると共に、水平方向へ展開自在に構成してなり、この二つ折れステージ装置の複数組を前後方向に連結してなる多重折れステージ装置において、先ず、請求項１では、前部側のステージ装置における後ステージに設けた当該ステージ脚を連動させて折り畳む連結リンクの後端部にステーを立ち上げ形成し、当該ステーの先端部と、後部側のステージ装置における前ステージに設けた最前列のステージ脚を左右幅方向に連結する連結軸とを、連結部材で連結した多重折れステージ装置を提供する。
【０００７】
また、請求項３では、前部側のステージ装置における後ステージの連結リンクの後端部に斜め後方へ張り出したステーを設け、後部側のステージ装置における前ステージの連結リンクの前端部に斜め前方へ張り出したステーを設け、両ステーの先端部を連結軸で連結した多重折れステージ装置を提供する。
【０００８】
また、請求項４では、前部側のステージ装置における後ステージの連結リンクの後端部にステーを立ち上げ形成し、後部側のステージ装置における前ステージの連結リンクの前端部にステーを立ち上げ形成し、両ステーの先端部を連結部材で前後に連結した多重折れステージ装置を提供する。
【０００９】
また、請求項１と請求項４の連結部材として、特に、ターンバックルを構成した場合には、その間隔調整が手軽で確実に行うことができる。
【００１０】
また、請求項６では、請求項１と請求項３と請求項４の多重折れステージ装置において、前部側のステージ装置における後ステージの最後列のステージ脚の車輪ホルダと、後部側のステージ装置における前ステージの最前列のステージ脚の車輪ホルダとの間に、スライドガイドを前後に差し渡し、これにより多重折れステージ装置の迫り上げ作動時と展開作動時における振れ止めに対処している。
【００１１】
【発明の実施の形態】
以下、ステージ脚を折り畳み自在とする比較的脚の長い高床タイプの二つ折りステージ装置Ｘ１、Ｘ２の複数組、具体的には、その２組を前後方向に連結し、これを屋内の壁際部分に立ち上げて多重折れ状態に格納可能とする多重折れステージ装置を、図１〜図６に示す第１実施例に基づいて説明する。
尚、説明の便宜上、図１〜図６の右方の壁際部分を前部とし、左方を後部として説明する。
【００１２】
先ず、二つ折れステージ装置Ｘ１、Ｘ２の単体の基本的な構成は、特公平７−２１２５８号公報、特公平７−１１６８５５号公報、特許第２５２１５２８号公報、特許第２５４９５６１号公報、特許第２５４９５６２号公報に示す折り畳み式電動ステージ装置とほぼ同様であるが、その構成の概要を添付図面に従って説明すると、前部側のステージ装置Ｘ１（以下、便宜上、第１ステージ装置という）の場合には、前後２体で１組の前ステージＳ１と後ステージＳ２を、また、後部側のステージ装置Ｘ２（以下、第２ステージ装置という）の場合には、前後２体で１組の前ステージＳ３と後ステージＳ４を、それぞれ垂直方向へ迫り上げて二つ折り自在に連結すると共に、水平方向へ展開自在に構成している。
また、前記第１ステージ装置Ｘ１における前後ステージＳ１、Ｓ２と、第２ステージ装置Ｘ２における前後ステージＳ３、Ｓ４には、柔道畳Ｔが図１に示すように敷設して取り付けてある。
【００１３】
また、第１ステージ装置Ｘ１の前後ステージＳ１、Ｓ２と、第２ステージ装置Ｘ２の前後ステージＳ３、Ｓ４の裏側の前後奥行き方向の略中央寄りの位置には、正逆回転自在な電動モータＭ１〜Ｍ４が幅方向に多数取り付けられ、そのモータ出力軸にはスイングアームＡ１〜Ａ４の基端部がそれぞれ固定され、また、第１ステージ装置Ｘ１に対向させたスイングアームＡ１、Ａ２の先端部と、第２ステージ装置Ｘ２に対向させたスイングアームＡ３、Ａ４の先端部を、それぞれ二つ折れ自在に枢設している。
【００１４】
また、前記第１ステージ装置Ｘ１と第２ステージ装置Ｘ２の底部に並設したステージ底桁５には、その前後奥行き方向と左右幅方向にステージ脚７の取付金具６が設けられ、当該取付金具６にステージ脚７の上端部を折り畳み可能に枢設され、また、ステージ脚７の下端部には、連結リンクＬ１、Ｌ２、Ｌ３、Ｌ４が前後奥行き方向に差し渡され、左右１組のステージ脚７の左右幅方向に差し渡した連結軸により、各ステージ脚７と連結リンクＬ１〜Ｌ４を枢支している。
その内、第１ステージ装置Ｘ１における前ステージＳ１の最前列のステージ脚７Ａを除く、第１ステージ装置Ｘ１の後ステージＳ２における最後列のステージ脚７Ｂと、第２ステージ装置Ｘ２の前ステージＳ３における最前列のステージ脚７Ｃと、後ステージＳ４における最後列のステージ脚７Ｄの下端部には、それぞれ車輪ホルダ８Ｂ〜８Ｄが設けられ、これらの車輪ホルダ８Ｂ〜８Ｄには、屋内床面Ｆ上を転動する車輪９を前後に隔てて軸支している。
【００１５】
また、第１ステージ装置Ｘ１における前後ステージＳ１、Ｓ２におけるステージ脚７、即ち、その最前列のステージ脚７Ａと最後列のステージ脚７Ｂを除くステージ脚７の下端部には、展開した第１ステージ装置Ｘ１を水平状態に保持すべく高さ調節自在な調節脚１０（調節パッドでも可）が設けられる。
また、第２ステージ装置Ｘ２における前後ステージＳ３、Ｓ４におけるステージ脚７、即ち、その最前列のステージ脚７Ｃと最後列のステージ脚７Ｄを除くステージ脚７の下端部には、当該第２ステージ装置Ｘ２を展開状態のまま前後方向へ転動可能とする車輪１１が設けられる。
【００１６】
尚、前ステージＳ１における最前列のステージ脚７Ａの下端部は、収納箇所の床面Ｆに固定され、本発明の多重折れステージ装置が、当該部所に位置固定されて多重に折り畳み格納するようにしているが、このステージ脚７Ａの下端部にも、前記と同様な車輪付き車輪ホルダを構成することで、多重折れステージ装置を適宜箇所へ移動自在とすることもできる。
【００１７】
１２はステージ脚７の補強プレートであって、左右に隣り合うステージ脚７に差し渡されて固定している。１３は第２ステージ装置Ｘ２における最後列の車輪ホルダ８Ｄの後面に取り付けた連結プレートであって、多重折れステージ装置の床下部をカバーし、また、第２ステージ装置Ｘ２における後ステージＳ４の最後列のステージ脚７Ｄの振れ止めやフレーム強度の増強等に対処している。
【００１８】
尚、図１〜図４には、各ステージＳ１〜Ｓ４の前後奥行き方向当たり、前部、中間部、後部の３列に亘ってステージ脚７を配置した場合について図示しているが、各ステージＳ１〜Ｓ４の前後奥行き方向当たり４〜５列程度のステージ脚７を左右幅方向に列設して、前後方向に起倒動するように構成することもできる。
【００１９】
次に、第１実施例の多重折れステージ装置における谷折れ部の下部構造を、図７の要部拡大斜視図に基づいて説明する。
２１は連結リンクＬ２の後端部に起立形成したステーであって、通常、連結リンクＬ２の後端部にステー２１の基端部が溶接やボルト・ナット等で固定される。２２はリンク又はロッド、或いは、軸間距離を調整自在なターンバックル等の連結部材であって、その一端部を前記ステー２１の上端部に左右幅方向に差し渡した連結軸２３に貫挿支持し、また、その基端部をステージ脚７Ｃと連結リンクＬ３の前端部を連結すべく、左右幅方向に差し渡した連結軸２４に貫挿支持している。
２５は帯状プレートの左右両側に鍔縁を下向きに折曲形成したスライドガイドであって、ステージ脚７Ｃの車輪ホルダ８Ｃの天井部に、当該スライドガイド２５の基端部がピン２６で固定され、その自由端部をステージ脚７Ｂの車輪ホルダ８Ｂの天井部を貫通し、当該車輪ホルダ８Ｂの天井部の左右両側位置に設けたガイドローラ２７と、車輪ホルダ８Ｂの中間上方部に軸支したガイドローラ２８に案内されて前後方向にスライドするように構成している。
これにより、第１ステージ装置Ｘ１と第２ステージ装置Ｘ２の谷折れ部の床下部に構成した車輪ホルダ８Ｂ、８Ｃに対する左右方向の位置ずれが規制され、多重折れステージ装置の展開作動時と格納作動時における作動の円滑性と確実性を維持確保する。
【００２０】
尚、図１〜図６において、連結部材１２や連結リンクＬ１〜Ｌ４等をステージ脚７Ｂ、７Ｃの外側位置に構成した状態で図示したが、これは構成を理解し易くする為に描出したにすぎず、実際は、ステージ脚７Ｂ、７Ｃの内側位置に構成されることになる。
【００２１】
（多重折れステージ装置の格納作用）
そこで、図１や図２に示すように、体育館や屋内武道場等の床面Ｆ上に水平状態に展開配置された第１実施例の多重折れステージ装置を、屋内の壁際部分Ｋに格納するには、先ず、第１ステージ装置Ｘ１の電動モータＭ１、Ｍ２を起動して、その出力軸を超微速、実用機では２万４千分の１程度の減速比でＥ矢視方向へ回転せしめる。
すると、第１ステージ装置Ｘ１におけるスイングアームＡ１、Ａ２の先端部分をそれぞれ下方へ押し下げながら、電動モータＭ１、Ｍ２とＭ３、Ｍ４の出力軸間の軸間距離を水平方向に狭めようとする駆動力が働き、それにより前ステージＳ１の後半部と後ステージＳ２の前半部を鉛直上方へ徐々に押し上げて跳ね上げる力として作用し、その結果、前後ステージＳ１、Ｓ２の突き合わせ部分が鉛直上方へ迫り上がり始める。それに伴って後ステージＳ２の最後列のステージ脚７Ｂの車輪ホルダ８Ｂに軸受した車輪９が、床面Ｆ上を壁際部分Ｋへ向かって前進移動し始める。
また、第１ステージ装置Ｘ１の後ステージＳ２における連結リンクＬ２の後端部には、ステー２１が鉛直に起立形成され、その先端部と、第２ステージ装置Ｘ２の前ステージＳ３における連結リンクＬ３の前端部を連結部材２２で固定している。その為、第１ステージ装置Ｘ１が、図３に示すように迫り上げられ、それが図４に示すように二つ折れされて壁際部分Ｋに格納されるまでの間、第２ステージ装置Ｘ２は展開状態のまま、第１ステージ装置Ｘ１の二つ折れ作動に従動してフロアＦを転動しながら前進移動する。
これにて、図４に示すように、第１ステージ装置Ｘ１が壁際部分Ｋに二つ折れ格納される。
【００２２】
次に、第２ステージ装置Ｘ２の電動モータＭ３、Ｍ４が起動し、その出力軸を図４のＥ矢視方向へ回動する。すると、第２ステージ装置Ｘ２における前後ステージＳ１、Ｓ２の突き合わせ部分を鉛直上方へ、図５に示すように迫り上げられながら、第１ステージ装置Ｘ１に向かって引き込まれる。
これにより、第１ステージ装置Ｘ１と第２ステージ装置Ｘ２からなる多重折れステージ装置は、図６に示すように、壁際部分Ｋに多重折れ状態で格納される。
尚、多重折れステージ装置の第１ステージ装置Ｘ１と第２ステージ装置Ｘ２における前後ステージＳ１〜Ｓ４の床下部にリンク構成したステージ脚７、７Ａ〜７Ｄは、図３〜図６に示すように鉛直状態を維持した侭、前後ステージＳ１〜Ｓ４の二つ折れ作動に伴って平行移動し、上方へ引き上げられながら徐々に折り畳まれる。
【００２３】
（多重折れステージ装置の展開作用）
次に、壁際部分Ｋに鉛直状態に多重折れ格納された第１ステージ装置Ｘ１と第２ステージ装置Ｘ２を、壁際部分Ｋから後方の床面Ｆ上へ水平状態に展開配置する場合には、前記とは逆に、先ず、第２ステージ装置Ｘ２における電動モータＭ３、Ｍ４を逆方向へ起動して、その出力軸を逆転せしめる。
すると、この出力軸を駆動支点とするスイングアームＡ３、Ａ４をスイングさせようとする力の反作用として、当該スイングアームＡ３、Ａ４の下端部の連結部を支点として、逆に、電動モータＭ３、Ｍ４の出力軸の部分を押し広げるように徐々にスイングする力として作用し、その結果、後ステージＳ４における最前列のステージ脚７Ｄの車輪ホルダ８Ｄに軸受した車輪９が、緩やかに転動して押し出され、また、前後ステージＳ３、Ｓ４の間に折り畳まれたステージ脚７Ｃ、７Ｄ、７を、鉛直状態を維持した侭、平行移動して徐々に拡開させながら押し広げる。
これにて図４に示すように、第２ステージ装置Ｘ２における前後ステージＳ３、Ｓ４を水平方向へ突き合わせた状態にして床面Ｆ上に展開せしめられる。
【００２４】
次いで、第１ステージ装置Ｘ１の電動モータＭ１、Ｍ２を逆転作動させると、その後ステージＳ２の下端部が壁側部分Ｋから押し出し作動すると共に、展開状態の第２ステージ装置Ｘ２を後方へ押し出しながら拡開作動する。
これにより、第１ステージ装置Ｘ１と第２ステージ装置Ｘ２からなる多重折れステージ装置は、図１や図２に示すように、水平状態に展開配置される。
【００２５】
（多重折れステージ装置の第２実施例）
次に、多重折れステージ装置の第２実施例を、前記第１実施例との相違点を中心に、図８〜図１０に基づいて説明する。
３１は連結リンクＬ２の後端部に斜め後方へ起立形成したステー、３２は連結リンクＬ３の前端部に斜め前方へ起立形成したステーであって、これらの両ステー３１、３２の先端部を連結軸３３で枢設している。
３４は第２ステージ装置Ｘ２におけるステージ脚７の底部に取り付けた調節脚又はパッドである。
その他の構成は、前記第１実施例と同様に構成している。
この場合には、図８の展開状態にある多重折れステージ装置の第１ステージ装置Ｘ１における電動モータＭ１、Ｍ２と、第２ステージ装置Ｘ２における電動モータＭ３、Ｍ４をほぼ同時に起動する。
すると、そのモータ出力軸はＥ矢視方向へ回動し、前後ステージＳ１、Ｓ２とＳ３、Ｓ４の突き合わせ部分を、図９に示すように上方へ迫り上げて二つ折れ作動すると共に、第１ステージ装置Ｘ１と第２ステージ装置Ｘ２の谷折れ部における突き合わせ部を徐々に引き離しながら谷折れ作動する。これにより多重折れされて壁際部分Ｋに格納される。
尚、第２実施例の場合には、第１ステージ装置Ｘ１と第２ステージ装置Ｘ２における電動モータＭ１〜Ｍ４を、同時に駆動させて多重折れ作動させることができるので、第１実施例の場合のように、床面Ｆを転動する車輪１１を、第２ステージ装置Ｘ２のステージ脚７に設ける必要がない。
また、第１ステージ装置Ｘ１と第２ステージ装置Ｘ２をほぼ同時に格納作動したり、展開作動させるための所要時間が、第１実施例の場合に比して半分程度で済ませることができる。
【００２６】
（多重折れステージ装置の第３実施例）
次に、多重折れステージ装置の第３実施例を、前記第２実施例との相違点を中心に、図１１〜図１２に基づいて説明する。
４１は連結リンクＬ２の後端部に起立形成したステーであって、左右幅方向に隣り合うステー４１に連結軸４２を差し渡している。４３は連結リンクＬ３の前端部に起立形成したステーであって、左右幅方向に連結軸４４を差し渡している。４５は間隔調整自在なターンバックルのような連結部材であって、その前後両端部のロッドを前記連結軸４２、４４に貫挿し、その間に螺合した調整ナットにより間隔調整自在としている。
その他の構成は、前記第２実施例と同様であるので、同一の符号を付してその説明を省略する。
そこで、この第３実施例の多重折れステージ装置の場合も、第２実施例の場合と同様に、図１１に示すように、谷折れ部が突き合わされて展開状態にある多重折れステージ装置における第１ステージ装置Ｘ１の電動モータＭ１、Ｍ２と、第２ステージ装置Ｘ２の電動モータＭ３、Ｍ４を、ほぼ同時に起動する。
すると、図１１の想像線に示すように、第１ステージ装置Ｘ１と第２ステージ装置Ｘ２の谷折れ部における突き合わせ部を徐々に引き離しながら谷折れ作動し、これにて図１２に示すように壁際部分Ｋに多重折れされて格納される。
尚、この第３実施例の場合も、第２実施例の場合と同様に、電動モータＭ１〜Ｍ４を同時に駆動させて多重折れ作動させることができるので、第１ステージ装置Ｘ１と第２ステージ装置Ｘ２を格納作動したり、展開作動させるための所要時間が、第１実施例の場合に比して半分程度で済ませることができる。
【００２７】
【発明の効果】
本発明は、前記のように構成した多重折れステージ装置としたので、その多重折れ作動時に、前部側のステージ装置と後部側のステージ装置の谷折れ部において、一方が他方を持ち上げようとしたり、或いは、その突き合わせ端部を噛み込もうとするようなことなく、円滑且つ確実な多重折りを可能とする。
逆に、展開作動によって前記の谷折れ部が密に突き合わされることで、一体風のステージフロアに構成するので、その上で柔道や体操競技や剣道等の練習や試合を行うに頗る便利でもある。特に、多重折れステージ装置のステージフロアに柔道畳や体操マットを取り付けておけば、柔道や体操の練習や試合の度毎に、敷設作業したり、撤去作業をする煩わしさがなく、その練習等に専念することができる。
また、屋内の壁際部分を有効活用して、比較的コンパクトに格納できるので、本発明の多重折れステージ装置の１を、柔道専用、その２を体操専用、その３を剣道専用とし、それらを全て壁面格納した状態では、体育館等として通常使用を可能とするので、体育館等が多目的に、また、高度利用ができ、土地スペースや建物スペースに限りのある学校施設等での需要は、頗る大なるものがある。
【図面の簡単な説明】
【図１】多重折れステージ装置の第１実施例を示す全体概要斜視図である。
【図２】第１実施例の多重折れステージ装置の側面図である。
【図３】第１ステージ装置を二つ折れ作動途中の状態を示す図である。
【図４】第１ステージ装置を壁際部分に格納した状態を示す図である。
【図５】  第２ステージ装置を二つ折れ作動途中の状態を示す図である。
【図６】壁際部分に多重折れ状態で格納する状態を示す図である。
【図７】第１実施例の多重折れステージ装置において、第１ステージ装置と第２ステージ装置における谷折れ部の要部を示す拡大斜視図であって、第１ステージ装置における後ステージのステージ脚を連結する連結リンクの後端部に立ち上げたステーの上端部と、第２ステージ装置における前ステージのステージ脚を連結する連結リンクの前端部を、連結部材で連結した状態を示すと共に、当該部所の車輪ホルダに構成したスライドガイドとそのガイドローラを示す図である。
【図８】多重折れステージ装置の第２実施例を示す側面図である。
【図９】第２実施例の多重折れステージ装置を多重折れ作動途中の状態を示す図である。
【図１０】壁際部分に多重折れ状態で格納した状態を示す図である。
【図１１】第３実施例の多重折れステージ装置の谷折れ部を示す側面図であって、連結部材としてターンバックルを構成している。
【図１２】壁際部分に多重折れ状態で格納した状態を示す図である。
【符号の説明】
Ｘ１  前部側のステージ装置（第１ステージ装置）
Ｘ２  後部側のステージ装置（第２ステージ装置）
Ｓ１〜Ｓ４  前後ステージ
Ｆ  床面Ｋ  壁際部分
Ｍ１〜Ｍ４  電動モータ
Ａ１〜Ａ４  スイングアームＬ１〜Ｌ４  連結リンク
Ｔ  柔道畳
５  ステージ底桁６  取付金具
７、７Ａ〜７Ｄ  ステージ脚
８Ｂ〜８Ｄ  車輪ホルダ
９、１１  車輪
１０  調節脚１２  補強プレート
１３  連結プレート
２１  ステー
２２  連結部材
２３、２４  連結軸
２５  スライドガイド
２６  ピン
２７、２８  ガイドローラ
３１、３２  ステー
３３  連結軸
３４  調節脚
４１、４３  ステー
４２、４４  連結軸
４５  連結部材
【図１】
0003895841.tif 000002
【図２】
0003895841.tif 000003
【図３】
0003895841.tif 000004
【図４】
0003895841.tif 000005
【図５】
0003895841.tif 000006
【図６】
0003895841.tif 000007
【図７】
0003895841.tif 000008
【図８】
0003895841.tif 000009
【図９】
0003895841.tif 000010
【図１０】
0003895841.tif 000011
【図１１】
0003895841.tif 000012
【図１２】
0003895841.tif 000013